(57)【要約】【課題】携帯電話機などの情報端末において、多機能化に十分に対応し得るユーザーインターフェースを提供する。【解決手段】本体１００表面にタッチパネル３００を備えた携帯通信端末１であって、タッチパネル３００に表示する表示情報を生成する表示情報生成部１６０ａと、タッチパネル３００上において特定された座標点を検出する操作位置検出部１６０ｃとを備え、表示情報生成部１６０ａは、タッチパネル３００を複数の表示範囲に区分するとともに、操作位置検出部１６０ｃによって検出された相対位置に応じて、複数の表示範囲の比率を変化させる。【選択図】  図３
2010008078.tif 000002
【特許請求の範囲】
【請求項１】
本体表面に表示部を備えた情報端末であって、
前記表示部に表示する表示情報を生成する表示情報生成部と、
前記表示部上において特定された座標点を検出する位置検出部と
を備え、
前記表示情報生成部は、表示部を複数の表示範囲に区分するとともに、前記位置検出部によって検出された相対位置に応じて、前記複数の表示範囲の比率を変化させること
を特徴とする情報端末。
【請求項２】
前記表示部に設けられ、該表示部に対する圧力によって操作信号を入力するタッチパネルと、
前記タッチパネル上における前記操作信号の入力範囲を区画する入力範囲設定部と
をさらに備え、
前記入力範囲設定部は、前記位置検出部によって検出された相対位置に応じて、前記入力範囲を変化させること
を特徴とする請求項１に記載の情報端末。
【請求項３】
前記本体表面の長手方向にスライド移動可能に設けられたガジェット部をさらに備え、
前記位置検出部は、前記ガジェット部の前記本体における相対位置によって、前記座標点を検出し、
前記表示情報生成部は、前記位置検出部によって検出された前記ガジェット部の前記本体における相対位置に応じて、前記表示情報を変化させる
ことを特徴とする請求項１に記載の情報端末。
【請求項４】
加速度の大きさ及び方向を検出する加速度センサをさらに備え、
前記表示情報生成部は、前記位置検出部によって検出された相対位置、及び前記加速度センサが検出した加速度に応じて、前記表示情報を変化させ、
前記入力範囲設定部は、前記位置検出部によって検出された相対位置、及び前記加速度センサが検出した加速度に応じて、前記入力範囲を変化させる
ことを特徴とする請求項２に記載の情報端末。
【請求項５】
前記ガジェット部に設けられ、操作信号を入力する入力部をさらに備えることを特徴とする請求項３に記載の情報端末。
【請求項６】
前記表示情報生成部は、前記表示部上において前記表示情報を表示させる範囲を設定する機能を有し、
前記入力範囲設定部は、前記位置検出部によって検出された相対位置に応じて、前記表示情報の表示範囲を挟むように、該表示範囲の両側に前記ガジェット部と、前記入力範囲とが位置するように、該入力範囲を区画する
ことを特徴とする請求項５に記載の情報端末。
【発明の詳細な説明】
【技術分野】
【０００１】
本発明は、携帯電話機など、本体表面に表示部を備えた情報端末に関する。
【背景技術】
【０００２】
近年、携帯電話機などの情報端末では、携帯電話機自体については、小型化が求められる一方で、メールの送受信、インターネットへの接続、カメラ撮影など多機能化が進み、それに伴い、携帯電話機のマルチメディア性と、ユーザーインターフェースの操作性向上が求められている。【０００３】
ところで、通常、片手で操作する携帯電話機は、持ち易さと操作性を考慮して小型化されているが、キー操作は表示画面を見ながら行うため、携帯電話機の表示画面と数字キーや選択操作キー等の各種キーは、同一面に分け合って設ける必要があった。このため、表示画面は、各種キーが配置された残りの部分に配置せざるを得ず、大画面化といっても配置面のほぼ半分を占める大きさに限られてしまい、携帯電話でマルチメディアをより快適に楽しむためには十分でないという問題があった。【０００４】
これに対して、特許文献１に開示された技術として、各種情報を表示する表示画面を、各種操作信号の入力操作を行う操作キーが配置された面とは異なる面に設けるものが提案されている。このような、特許文献１に開示された技術によれば、キー配置に左右されることなく、様々な情報を表示するために十分な大きさの表示画面を有することができる。
【先行技術文献】
【特許文献】
【０００５】
【特許文献１】特開２００２−３５４０８５号公報
【発明の概要】
【発明が解決しようとする課題】
【０００６】
しかしながら、上述したようにマルチメディア性が高まるにつれて、ユーザーインターフェースの多様化も求められている一方で、マルチメディアの種類に応じて求められるキー配置も異なることから、固定的に配置されたインターフェースでは、ニーズに対して十分に対応できないという問題がある。【０００７】
そこで、本発明は、上記のような問題を解決するものであり、携帯電話機などの情報端末において、多機能化に十分に対応し得るユーザーインターフェースを備えたシステムを提供することを目的とする。
【課題を解決するための手段】
【０００８】
上記課題を解決するために、本発明は、本体表面に表示部を備えた情報端末であって、表示部に表示する表示情報を生成する表示情報生成部と、表示部上において特定された座標点を検出する位置検出部とを備え、表示情報生成部は、表示部を複数の表示範囲に区分するとともに、位置検出部によって検出された相対位置に応じて、複数の表示範囲の比率を変化させることを特徴とする情報端末。【０００９】
このような本発明によれば、画面を複数の表示範囲に分割することによって、情報端末の画面上に表示すべき情報を見やすくすることができるとともに、情報端末に備えられた各機能に応じた表示態様の多様化を図ることができ、情報端末の多機能化に対応することができる。【００１０】
上記発明において、表示部に設けられ、表示部に対する圧力によって操作信号を入力するタッチパネルと、タッチパネル上における操作信号の入力範囲を区画する入力範囲設定部とをさらに備え、入力範囲設定部は、位置検出部によって検出された相対位置に応じて、入力範囲を変化させることが好ましい。【００１１】
この場合には、タッチパネル上において、画面上に複数の表示範囲と、入力範囲を配置することができ、表示範囲や入力範囲の境界線をタッチしてドラッグすることによって、表示部上の座標点を特定し、これを検出することにより複数の表示範囲や入力範囲の比率を変更することができ、これにより各表示範囲の面積を拡縮することができる。【００１２】
上記発明において、本体表面の長手方向にスライド移動可能に設けられたガジェット部をさらに備え、位置検出部は、ガジェット部の本体における相対位置によって、座標点を検出し、表示情報生成部は、位置検出部によって検出されたガジェット部の本体における相対位置に応じて、表示情報を変化させることが好ましい。【００１３】
この場合には、ガジェット部の位置により表示部上の座標点を特定し、ガジェット部を移動させることによって複数の表示範囲に分割した際の境界線を自由に変更することができ、これにより各表示範囲の面積を拡縮することができる。【００１４】
上記発明において、加速度の大きさ及び方向を検出する加速度センサをさらに備え、表示情報生成部は、位置検出部によって検出された相対位置、及び加速度センサが検出した加速度に応じて、表示情報を変化させ、入力範囲設定部は、位置検出部によって検出された相対位置、及び加速度センサが検出した加速度に応じて、入力範囲を変化させることが好ましい。この場合には、複数に分割された表示範囲の境界線位置と本体に与えられる加速度とに基づいて，表示形態を変化させることができ、さらにインターフェースの多様化を図ることができる。【００１５】
上記発明において、ガジェット部に設けられ、操作信号を入力する入力部をさらに備えることが好ましい。この場合には、ガジェット部自体からも操作信号を入力することができ、インターフェースの多様化をさらに図ることができる。【００１６】
上記発明において、表示情報生成部は、表示部上において表示情報を表示させる範囲を設定する機能を有し、入力範囲設定部は、位置検出部によって検出された相対位置に応じて、表示情報の表示範囲を挟むように、表示範囲の両側にガジェット部と、入力範囲とが位置するように、入力範囲を区画することが好ましい。この場合には、表示範囲を挟むようにして、その両側に入力インターフェースを配置させることができることから、例えば、ゲームコントローラのように、ゲーム画面の両側に、操作ボタンや方向キーを配置することができる。
【発明の効果】
【００１７】
以上述べたように、この発明によれば、携帯電話機等の情報端末において、表示部上に複数の表示範囲や入力範囲を設定するとともに、これらの境界線を自由に変更させて各範囲を拡縮させることによって、通話操作の他、メール作成やコンテンツ視聴など、多機能化に十分に対応し得るユーザーインターフェースを提供することができる。
【図面の簡単な説明】
【００１８】
【図１】実施形態に係る携帯通信端末１の外観図である。
【図２】実施形態に係る携帯通信端末１の内部構成を示すブロック図である。
【図３】実施形態において、ＣＰＵ上に仮想的に構築される機能モジュールを示すブロック図である。
【図４】実施形態に係るガジェット部を境界線として表示範囲を分割する場合を示した説明図である。
【図５】実施形態において、各アプリケーションの入力モードに応じて、入力する文字種別が自動的に変更される様子を示した説明図である。
【図６】実施形態に係る情報端末の操作方法（ゲームコントローラモード）に関する説明図である。
【図７】実施形態に係る情報端末の操作方法（傾斜入力キーモード）に関する説明図である。
【図８】実施形態の変更例に係る情報端末の操作方法に関する説明図である。
【発明を実施するための形態】
【００１９】
以下に添付図面を参照して、本発明に係る情報端末の実施形態を詳細に説明する。図１は、本実施形態に係る携帯通信端末１の外観図である。
【００２０】
同図（ａ）及び（ｂ）に示すように、携帯通信端末１は、矩形状の本体１００と、この本体１００に嵌合され、上下方向にスライド可能なガジェット部２００とを備えている。本体１００の正面側は、前面がタッチパネル３００が配設され、ガジェット部２００は、このタッチパネル３００を横断するように嵌合されている。
【００２１】
ガジェット部２００の正面側には、同図（ｃ）に示すように、中央に多方向に操作可能な方向キー２０３が配設され、その左右両側に操作ボタン２０１，２０２が配設されている。
【００２２】
図２は、本実施形態に係る携帯通信端末１の内部構成を示すブロック図である。同図に示すように、携帯通信端末１は、アンテナ１０１に接続されたデュプレクサ１０２と、このデュプレクサ１０２に接続された受信系モジュール及び送信系モジュールとを備えている。
【００２３】
受信系モジュールとしては、低ノイズアンプ１１０、ミキサ１１１、ＩＦアンプ１１２、直交ミキサ１１３、Ａ／Ｄコンバータ１１４、復調器１１５、チャネルデコーダ１１６、音声デコーダ１１７、Ｄ／Ａコンバータ１１８、スイッチ付きアンプ１１９、及びスピーカ１２０を備えている。一方、送信系モジュールとしては、マイク１４０、アンプ１３９、Ａ／Ｄコンバータ１３８、音声エンコーダ１３７、チャネルエンコーダ１３６、変調器１３５、Ｄ／Ａコンバータ１３４、直交ミキサ１３３、ＩＦアンプ１３２、ミキサ１３１、及びパワーアンプ１３０を備えている。
【００２４】
また、携帯通信端末１は、制御系モジュールとして、シンセサイザ１０３、タイムベース１５０、ＣＰＵ１６０、ＲＡＭ１６２、ＲＯＭ１６３、ＥＥＰＲＯＭ１６１を備え、ユーザーインターフェース系モジュールとして、加速度センサ１６４、ＬＣＤ３００、ガジェット部２００、ＬＥＤ１６７、タッチセンサ１６８、及びバイブレータ１７４を備え、さらに、電源系モジュールとして、電源系電池１７１、電源１７２、及びＡ／Ｄコンバータ１７３を備える。
【００２５】
前記アンテナ１０１は、電波回線を介して基地局（図示せず）に対し信号を送受信する。デュプレクサ１０２は、送受信される信号の入出力を切り替える回路であり、アンテナ１０１が受信した信号を低ノイズアンプ１１０に入力し、パワーアンプ１３０から出力された信号をアンテナ１０１に出力する。
【００２６】
受信系モジュールにおいて、低ノイズアンプ１１０は、デュプレクサ１０２から入力された信号を増幅し、ミキサ１１１に出力する。ミキサ１１１は、低ノイズアンプ１１０の出力を受け、特定の周波数だけ分離して中間周波数信号として出力する。ＩＦアンプ１１２は、ミキサ１１１から出力された中間周波数信号を増幅する。直交ミキサ１１３は、ＩＦアンプ１１２の出力を受け直交復調する。Ａ／Ｄコンバータ１１４は、直交ミキサ１１３の出力をデジタル化する。復調器１１５は、Ａ／Ｄコンバータ１１４の出力を復調する。チャネルデコーダ１１６は、復調器１１５の出力に対して誤り訂正を行う。誤り訂正を行った信号には、制御メッセージ及び音声データが含まれる。制御メッセージはＣＰＵ１６０に、音声データは音声デコーダ１１７に送出される。
【００２７】
かかるチャネルデコーダ１１６から音声デコーダ１１７に入力された信号は、音声データにデコードされ、Ｄ／Ａコンバータ１１８に受け渡される。Ｄ／Ａコンバータ１１８は音声デコーダ１１７の出力をアナログ信号に変換する。スイッチ付きアンプ１１９は、ＣＰＵ１６０からの制御信号に基づいて、適宜のタイミングで切り替えられ、スイッチＯＮの状態においてＤ／Ａコンバータ１１８の出力を増幅する。スピーカ１２０はスイッチ付きアンプ１１９の出力を増幅する。
【００２８】
一方、送信系モジュールにおいて、マイク１４０は、ユーザーからの音声信号を受け、この音声信号をアナログ信号として出力する。アンプ１３９は、マイク１４０から出力されるアナログ信号を増幅する。Ａ／Ｄコンバータ１３８は、アンプ１３９の出力をデジタル信号に変換する。音声エンコーダ１３７はＡ／Ｄコンバータ１３８の出力をコード化して圧縮し、音声データとして出力する。チャネルエンコーダ１３６は、ＣＰＵ１６０からの制御メッセージと音声エンコーダ１３７からの音声データとを合わせ、誤り訂正符号を付加する。
【００２９】
そして、変調器１３５は、チャネルエンコーダ１３６の出力を変調する。Ｄ／Ａコンバータ１３４は、変調器１３５の出力をアナログ信号に変換する。直交ミキサ１３３は、Ｄ／Ａコンバータ１３４の出力を、ＩＦ周波数信号（中間周波数信号）に変換する。ＩＦアンプ１３２は直交ミキサ１３３の出力を増幅する。ミキサ１３１は、ＩＦアンプ１３２の出力する信号の周波数を上げる。パワーアンプ１３０は、ミキサ１３１の出力を増幅する。
【００３０】
なお、前記シンセサイザ１０３は、通信中に、ミキサ１１１、直交ミキサ１１３、ミキサ１３１、直交ミキサ１３３の同期をとる。タイムベース１５０は、クロック信号を各部に供給する。
【００３１】
ユーザーインターフェース系において、加速度センサ１６４は、加速度の大きさ及び方向を検出するセンサである。ＬＣＤ１６５は、ユーザーにメッセージや入力文字などを表示させる液晶ディスプレイである。タッチパネル３００上のＧＵＩでは、このＬＣＤ１６５を介して“０”から“９”までの番号や“＃”などを入力するためのキーを表示することができ、タッチパネル３００上のタッチセンサ１６８を通じて、操作信号を取得する。
【００３２】
ガジェット部２００は、本体表面の長手方向にスライド移動可能に設けられた入力デバイスであり、前面部分に操作ボタン２０１，２０２と、方向キー（ジョイスティック）２０３を備えている。
【００３３】
ＬＥＤ１６７は、点灯及び消灯によりユーザーにメッセージを伝えるためのものである。タッチセンサ１６８は、ユーザーの指がタッチパネル表面に接触したことを検出し、タッチパネル３００表面に対する圧力によって操作信号を入力する。なお、タッチセンサ１６８は、ユーザーの指紋を検出するようにしてもよい。バイブレータ１７４は、着信を知らせるデバイスであり、着信すると振動する。
【００３４】
また、電源系電池１７１は、電源１７２及びＡ／Ｄコンバータ１７３に電力を供給する。電源１７２は携帯通信端末１の電源である。Ａ／Ｄコンバータ１７３は、信号をＣＰＵ１６０に供給する。
【００３５】
ＣＰＵ１６０は、上記各部を制御する演算処理装置であり、ＲＯＭ１６３に格納されたプログラムのコマンドを順次実行し、種々の機能を果たす。ＲＡＭ１６２は、ＣＰＵ１６０のワーキングメモリ等として使用され、ＣＰＵ１６０による演算結果を一時的に格納する。ＲＯＭ１６３にはＣＰＵ１６０用のプログラムが記録され、ＣＰＵ１６０からの要求に応じて、プログラムの実行命令を順次出力する。ＥＥＰＲＯＭ１６１には、短縮ダイヤルなどのユーザーデータや、機体固有のＩＤや電話番号が記録されている。
【００３６】
そして、本実施形態においてＣＰＵ１６０では、図３に示すような、アプリケーション実行部１６０ｂにより上記プログラムを実行することによって、表示情報生成部１６０ａ、操作位置検出部１６０ｃ、及び入力範囲設定部１６０ｄのモジュールが仮想的に構築される。ここで、説明中で用いられる「モジュール」とは、装置や機器等のハードウェア、或いはその機能を持ったソフトウェア、又はこれらの組み合わせなどによって構成され、所定の動作を達成するための機能単位を示す。
【００３７】
アプリケーション実行部１６０ｂは、プログラムを実行し、上述した各モジュールをＣＰＵ１６０上に仮想的に構築するモジュールである。
【００３８】
表示情報生成部１６０ａは、ＬＣＤ１６５に表示する表示情報（画像や文字情報等）を生成するモジュールであり、操作信号取得部１６０ｆと連携することによって、ＧＵＩを構成する。この表示情報生成部１６０ａは、ＬＣＤ１６５上において表示情報を表示させる範囲を設定するとともに、ＬＣＤ１６５における表示範囲を、複数の表示範囲に区分する機能を備えている。そして、操作位置検出部１６０ｃによって検出された相対位置に応じて、複数の表示範囲の比率を変化させる。
【００３９】
また、表示情報生成部１６０ａは、操作位置検出部１６０ｃによって検出された、操作信号が入力された座標点（タッチパネル３００上における相対位置）、及び加速度センサ１６４が検出した加速度に応じて、表示情報を変化させる。
【００４０】
操作位置検出部１６０ｃは、タッチパネル３００上において特定された座標点を検出するモジュールである。この座標点は、タッチセンサ１６８が検出した操作信号の入力座標や、ガジェット部２００の本体上の相対位置によって、入力位置の座標点を検出する。前記表示情報生成部１６０ａは、この操作位置検出部１６０ｃによって検出されたガジェット部２００の本体上における相対位置に応じて、表示情報を変化させる。
【００４１】
入力範囲設定部１６０ｄは、タッチパネル３００上における操作信号の入力範囲を区画するモジュールである。本実施形態では、タッチパネル３００上の操作点やガジェット部２００の相対位置を操作位置検出部１６０ｃにより検出し、この検出された相対位置、及び加速度センサ１６４が検出した加速度に応じて、入力範囲を変化させる
入力インターフェース（Ｉ/Ｆ）１６０ｅは、タッチパネルや操作ボタン、ジョイステック等の操作デバイスから入力された、ユーザーの操作信号を受け取り、操作信号取得部１６０ｆに入力するモジュールである。
【００４２】
操作信号取得部１６０ｆは、入力された操作信号を操作コマンドとしてアプリケーション実行部１６０ｂに入力するモジュールである。具体的には、ガジェット部２００の相対位置や、入力範囲設定部１６０ｄにより決定される入力設定と、操作信号とを照合し、その照合結果と操作信号とに関連づけられた操作コマンドを選択して、アプリケーション実行部１６０ｂに入力する。
【００４３】
（操作方法）
以上の構成を有する携帯通信端末１は、以下のように操作される。携帯通信端末１は、メールの送受信や、インターネット接続、カメラ撮影、動画・画像の閲覧、ゲーム等、多くの機能を備えており、タッチパネル３００やガジェット部２００は、各機能における入力モードに応じて、各操作ボタン（ＧＵＩを含む。）に割り当てられる操作信号及び操作コマンドが適宜変更される。
【００４４】
例えば、図４に示すように、タッチパネル３００を、ガジェット部２００を境界線として上下の表示範囲３０１及び３０２に分割する場合、ガジェット部２００を上下にスライドさせて本体１００に対する相対位置を変化させることにより、表示範囲３０１と３０２の比率が変化される。このとき、同図（ｂ）や（ｃ）に示すように、下部の表示範囲３０２には、入力モードに応じた入力範囲である文字入力キー４０１がＧＵＩとして表示され、ガジェット部２００をスライド移動させることにより、その表示範囲が拡縮される。
【００４５】
なお、本実施形態では、ガジェット部２００をさらに上方に移動させることにより、文字入力キー４０１の他に補助入力キー４０２が追加表示されるようになっている。この補助入力キー４０２では、文字入力キー４０１で入力された文字と連動した文字群が表示されるようになっている。図示した例では、文字入力キー４０１で「あ」を入力した場合に、あ行の文字群が表示されている。上記操作信号取得部１６０ｆは、このように、入力範囲の拡縮や、入力キーの追加・削減に応じて、各入力キーの入力範囲の座標を変化させ、ユーザーのタッチ操作によって入力される操作点と各入力キーの入力範囲とを比較し、入力された操作コマンドを選択する。
【００４６】
また、図５に示すように、入力キーは、各アプリケーションの入力モードに応じて、入力する文字種別が自動的に変更されるようになっている。例えば、同図（ａ）に示すように、発呼操作時など電話番号のような数字を入力するときには数字が入力できるようになり、（ｂ）及び（ｃ）に示すように、メールなどの文章を入力するときには、カタカナやひらがな、ローマ字入力に切り替わり、（ｄ）に示すように、メールアドレスなどの入力欄（テキストボックス）では半角英字及び記号が入力可能となる。また、（ｅ）では、アプリケーションや機能を呼び出すため、入力キーにメニュー項目が表示されている。
【００４７】
また、図６（ａ）に示すように、アドレス帳などのリスト表示モードでは、ガジェットを下方に下げることにより全面表示とすることができ、このときは、リスト内に列記された名前などをタッチすることにより、アドレスデータを呼び出すことができる。
【００４８】
さらに、図６（ｂ）に示すように、携帯通信端末１をゲームコントローラーとして使用する場合には、位置検出部によって検出されたガジェット部２００の相対位置に応じて、表示情報の表示範囲３０１を挟むように、表示範囲の両側にガジェット部２００と、入力範囲４０３とが位置するように、入力範囲が区画される。これにより、ゲーム画面を表示範囲３０１に表示させ、その両側において、ガジェットのジョイスティックを方向キーとし、入力範囲４０３に操作ボタンを表示する。なお、ガジェット部２００の位置は、スライド移動により左右反対とすることができ、これに応じて、入力範囲４０３をゲーム画面の反対側に位置させることもできる。
【００４９】
また、図７（ａ）及び（ｂ）に示すように、入力範囲４０４として、ＧＵＩの入力キーを４５°傾斜させて配置し、加速度センサにより本体の縦横を検知して、それに応じて表示する文字を変更させるようにしてもよい。すなわち、ＧＵＩとして格子状に表示される入力キーのそれぞれを４５°傾斜させるとともに、本体を縦にしたときと、横にしたときに読みやすい方向に文字を配置させる。これらの文字は、縦置きにした場合には、入力キー内の文字が入力文字となり、横置きにしたときには、入力キー外の文字が入力文字となる。この場合には、一つの入力キーに２つの文字が割り振られていることになるが、加速度センサの検知結果に応じて、縦置きのときと横置きのときとで、入力される文字が切り換えられるようになっている。
【００５０】
なお、同図（ｂ）に示すように、本実施形態では、左側画面４０５がカードゲーム式メニュー画面となっている。このカード式メニュー画面では、呼び出すアプリケーションや機能がトランプのようなカード型のアイコン（カードアイコン）Ｉ１に割り当てられており、このカードアイコンＩ１をタッチすることにより各機能を起動することができる。このカードアイコンＩ１は、本体を振るなど、加速度を作用させることにより、カードアイコンがシャッフルされ、カードアイコン同士の位置や重なり方を変化させることができ、所望する機能が割り振られたカードアイコンを操作しやすい位置に移動させることができるようになっている。また、ボックス型のアイコン（ボックスアイコン）Ｉ２が表示されており、このボックスアイコンＩ２をタッチすることによって、カードを整列させたり、ボックスアイコンＩ２内に収納できるようになっている。このボックスアイコンＩ２自体も、本体を振ることにより画面内を転がるなどして移動させることができる。
【００５１】
（変更例）
本発明は、上述した実施形態に限定されるものではなく、種々の変更を追加することができる。例えば、上記実施形態では、表示範囲や入力範囲の変更をガジェット部２００のスライド移動により調節したが、図８（ａ）〜（ｄ）に示すように、境界線を示す基本情報バー３０３を指３００ａによるタッチでドラッグすることによって、タッチパネル３００条の座標点を特定し、これを上下させることによっても表示範囲３０１，３０２の比率を変更するようにしてもよい。
【００５２】
（作用・効果）
本実施形態によれば、画面を複数の表示範囲３０１や３０２、入力範囲４００に分割することによって、タッチパネルに表示すべき情報を見やすくすることができるとともに、情報端末に備えら得た各機能に応じた表示態様の多様化を図ることができ、情報端末の多機能化に対応することができる。
【００５３】
特に、本実施形態では、本体１００表面の長手方向にスライド移動可能に設けられたガジェット部２００を備えさせることによって、ガジェット部２００の位置によりタッチパネル３００上の座標点を特定し、ガジェット部２００を移動させることによって複数の表示範囲に分割した際の境界線を自由に変更することができ、これにより各表示範囲の面積を拡縮することができる。
【００５４】
さらに、本実施形態では、本体１００に与えられた加速度の大きさ及び方向を検出する加速度センサ１６４をさらに備えることにより、ガジェット部２００やタッチパネル３００等の入力インターフェースによる入力操作に加えて、本体１００を振ったり、傾けたり、縦置き・横置きにするなど、本体１００に与えられる加速度にも応じて，表示形態を変化させることができる。
【００５５】
また、図７（ａ）及び（ｂ）に示すように、入力範囲４０４として、ＧＵＩの入力キーを４５°傾斜させて配置し、加速度センサにより本体の縦横を検知して、それに応じて表示する文字を変更させるため、本体の縦横に関わらず表示ボタンの表示態様が変化されないうえに、入力される操作信号は、本体の縦横に応じて変化されるため、ユーザーは本体の縦横を意識することなく、読みやすい方向の文字に対応した入力キーを押すことで、適切な入力操作を行うことができる。
【００５６】
また、ガジェット部２００に、操作信号を入力する入力部として操作ボタン２０１、２０２、方向キー２０３を配設していることから、ガジェット部２００自体からも操作信号を入力することができ、さらにインターフェースの多様化を図ることができる。なお、図６に示すように、表示範囲３０１を挟むように、その両側にガジェット部２００と、操作ボタン４０３とが位置するように、入力範囲を区画することによって、例えば、ゲームコントローラのように、ゲーム画面（表示範囲３０１）の両側に、操作ボタンや方向キーを配置することができる。
【符号の説明】
【００５７】
１…携帯通信端末
１００…本体
１６０…ＣＰＵ
１６０ａ…表示情報生成部
１６０ｂ…アプリケーション実行部
１６０ｃ…操作位置検出部
１６０ｄ…入力範囲設定部
１６０ｅ…入力インターフェース（Ｉ/Ｆ）
１６０ｆ…操作信号取得部
１６４…加速度センサ
１６５…ＬＣＤ
１６８…タッチセンサ
２００…ガジェット部
２０１，２０２…操作ボタン
２０３…方向キー
３００…タッチパネル
３００ａ…指
３０１，３０２…表示範囲
３０３…基本情報バー
４００…入力範囲
４０１…文字入力キー
４０２…補助入力キー
４０３…操作ボタン
４０４…入力範囲
４０５…左側画面
【図１】
2010008078.tif 000003
【図２】
2010008078.tif 000004
【図３】
2010008078.tif 000005
【図４】
2010008078.tif 000006
【図５】
2010008078.tif 000007
【図６】
2010008078.tif 000008
【図７】
2010008078.tif 000009
【図８】
2010008078.tif 000010
【国際調査報告】
2010008078.tif 000011
2010008078.tif 000012